(57)【要約】【課題】  大型の装置を用いることなく病理廃棄物の処理を実施する。【解決手段】  病理廃棄物６を亜臨界水条件あるいは超臨界水条件下の水熱反応により分解処理する水熱反応部２と、分解処理された水熱反応処理物を湿式酸化処理する酸化処理部２とを備える。【選択図】      図１
2005334695.tif 000002
【特許請求の範囲】
【請求項１】
病理廃棄物を亜臨界水条件あるいは超臨界水条件下の水熱反応により分解処理する水熱反応部と、
分解処理された水熱反応処理物を湿式酸化処理する酸化処理部とを備えることを特徴とする病理廃棄物処理装置。
【請求項２】
請求項１記載の病理廃棄物処理装置において、
前記水熱反応処理と前記湿式酸化処理とは、同一容器内で行われることを特徴とする病理廃棄物処理装置。
【請求項３】
請求項１または２記載の病理廃棄物処理装置において、
前記酸化処理部では、酸素供給と酸化処理ガスの排出とが連続して行われることを特徴とする病理廃棄物処理装置。
【請求項４】
請求項３記載の病理廃棄物処理装置において、
前記酸素供給は、空気の供給により行われることを特徴とする病理廃棄物処理装置。
【請求項５】
病理廃棄物を亜臨界水条件あるいは超臨界水条件下の水熱反応により分解処理する水熱反応処理工程と、
分解処理された水熱反応処理物を湿式酸化処理する酸化処理工程とを有することを特徴とする病理廃棄物処理方法。
【請求項６】
請求項５記載の病理廃棄物処理方法において、
前記水熱反応処理と前記湿式酸化処理とを同一容器内で行うことを特徴とする病理廃棄物処理方法。
【請求項７】
請求項５または６記載の病理廃棄物処理方法において、
前記酸化処理工程では、酸素供給と酸化処理ガスの排出とを連続して行うことを特徴とする病理廃棄物処理方法。
【請求項８】
請求項７記載の病理廃棄物処理方法において、
前記酸素供給を空気の供給により行うことを特徴とする病理廃棄物処理方法。
【発明の詳細な説明】
【技術分野】
【０００１】
本発明は、病院、研究機関等から排出される抗悪腫瘍剤やプリオン蛋白質汚染廃棄物、遺伝子増幅廃棄物などの病理廃棄物の処理装置及び処理方法に関するものである。
【背景技術】
【０００２】
病院、研究機関等から排出される抗悪腫瘍剤（抗ガン剤）やプリオン蛋白質汚染廃棄物（ＢＳＥ等）、遺伝子増幅廃棄物を処理する方法としては、焼却処理や高温水下で有機物を加水分解し、病理廃棄物を無害化する加圧式アルカリ加水分解処理が開発されている（例えば特許文献１）。
【特許文献１】特表２００３−５２０１２１号公報
【発明の開示】
【発明が解決しようとする課題】
【０００３】
しかしながら、上述したような従来技術には、以下のような問題が存在する。
焼却処理を実施した場合にはダイオキシン発生の問題が生じることから焼却設備にダイオキシン除去装置の付加、もしくは高温での焼却が必要となる。今後、病理廃棄物が規制の対象となることが予想されており、廃棄物の発生源である病院内もしくは研究機関内での処理が義務づけられる可能性がある。院内処理を想定した場合、小型の焼却設備で対応することが好ましいが、小型の焼却設備ではダイオキシン除去装置の付加や、高温での焼却は極めて困難である。
【０００４】
一方、加圧式アルカリ加水分解処理では、処理液のｐＨ及びＢＯＤ（生物化学的酸素消費量）が高くなるため、処理液をそのまま下水道に放流することができず、産廃処理する必要が生じ費用が嵩むという問題が生じる。
【０００５】
本発明は、以上のような点を考慮してなされたもので、大型の装置を用いることなく病理廃棄物の毒性をなくすことができる病理廃棄物処理装置及び処理方法を提供することを目的とする。
また、本発明の別の目的は、処理液の廃棄のために費用が嵩むことを防止できる病理廃棄物処理装置及び処理方法を提供することである。
【課題を解決するための手段】
【０００６】
上記の目的を達成するために本発明は、以下の構成を採用している。
本発明の病理廃棄物処理装置は、病理廃棄物を亜臨界水条件あるいは超臨界水条件下の水熱反応により分解処理する水熱反応部と、分解処理された水熱反応処理物を湿式酸化処理する酸化処理部とを備えることを特徴とするものである。
また、本発明の病理廃棄物処理方法は、病理廃棄物を亜臨界水条件あるいは超臨界水条件下の水熱反応により分解処理する水熱反応処理工程と、分解処理された水熱反応処理物を湿式酸化処理する酸化処理工程とを備えることを特徴とするものである。
【０００７】
従って、本発明の病理廃棄物処理装置及び病理廃棄物処理方法では、高温・高圧の亜臨界水あるいは超臨界水が有機物である病理廃棄物を加水分解するので、ＮａＯＨ等の薬品を用いることなくその毒性をなくすことが可能になる。さらに、焼却処理を行う場合のようにダイオキシン除去装置等、ダイオキシンの発生を抑える設備を付加する必要がなくなるため、装置の大型化を防止しつつ病理廃棄物の毒性を抑えることができる。
【０００８】
また、この構成では、加水分解された有機物（病理廃棄物）が高温・高圧水中で燃焼（酸化）させることにより、ＢＯＤ（生物化学的酸素消費量）を低減させることが可能になる。従って、処理後の処理液をそのまま下水道に放流することが可能になり、産廃処理等のために費用が嵩むことを防止できる。
【０００９】
前記水熱反応処理と前記湿式酸化処理とを同一容器内で行う手順も好適に採用可能である。
これにより、装置のさらなる小型化を実現することが可能になる。また、各処理を併行して行えるので、処理時間の短縮にも寄与できる。
【００１０】
前記酸化処理部、酸化処理工程では、酸素供給と酸化処理ガスの排出とが連続して行われることが好ましい。
これにより、酸化処理に必要な酸素を充填することが可能な大型の容器を用いる必要がなくなり、装置の一層の小型化に寄与することができる。
【００１１】
酸素供給としては、空気の供給により行われる構成が好適に採用可能である。
これにより、酸素ガスを別途用意する必要がなくなり、処理のコスト低減に寄与することが可能になる。
【発明の効果】
【００１２】
本発明では、ダイオキシンの発生を抑える設備を付加する必要がなくなるため、装置の大型化を防止しつつ病理廃棄物の毒性を抑えることができ、今後、廃棄物の発生源での処理が義務づけられた場合でも、病院内もしくは研究機関内で十分対応することが可能になる。
また、本発明では、処理液のＢＯＤを低く抑えることができ、処理液をそのまま下水道に放流することができるため、産廃処理等、特別な手段を講じる必要がなくなりコスト上昇を防止できる。
【発明を実施するための最良の形態】
【００１３】
以下、本発明の病理廃棄物処理装置及び病理廃棄物処理方法の実施の形態を、図１を参照して説明する。
図１は、病理廃棄物処理装置１の概略的な構成図である。
病理廃棄物処理装置１は、亜臨界水による水熱反応及び湿式の酸化処理を行うための反応器（水熱反応部、酸化処理部）２、反応器２に対して給気ラインＬ１を介して空気３を送り込むポンプＰ、反応器２における処理で発生して排気ラインＬ２を介して送られたガスを冷却する冷却器４を備えている。
【００１４】
反応器２は圧力容器からなり、図示しないヒータ等を備えている。この反応器２には、水（上水）５及び抗悪腫瘍剤（抗ガン剤）やプリオン蛋白質汚染廃棄物（ＢＳＥ等）、遺伝子増幅廃棄物等の病理廃棄物６が供給される供給ラインＬ３、処理後の処理液を下水道７に排出する排液ラインＬ４、及び冷却器４で冷却されて生じた液体（水）を反応器に戻すための戻しラインＬ５が接続されている。
なお、冷却器４には、排気ガス８を排出するための排気ラインＬ６が接続されている。
【００１５】
上記構成の病理廃棄物処理装置１により病理廃棄物を処理する方法について説明する。
まず、供給ラインＬ３から水５及び病理廃棄物６を反応器２に供給する。
反応器２内では、水５が高温・高圧の亜臨界状態（例えば温度；２００〜２５０℃、圧力；２〜５ＭＰａ）にされることで、病理廃棄物中の有機物は水熱反応処理されて炭化水素、Ｈ２等に加水分解されて無害化される（水熱反応処理工程）。
【００１６】
また、反応器２に対しては、水熱反応処理と併行してポンプＰの駆動により空気３が給気ラインＬ１から連続的に給気される。水熱反応処理された液状の水熱反応処理物は、反応器２に導入された空気中の酸素と酸化反応（燃焼）する（湿式酸化処理工程）。これにより、水熱反応処理物のＢＯＤが低減される。
【００１７】
そして、反応器２で生じたガス及び反応器２に導入され酸化反応後の空気３等（酸化処理物）は、排気ラインＬ２から排気されて冷却器４で冷却され、その一部が水滴となって戻しラインＬ４から反応器２へ戻され、他のガス（例えば二酸化炭素等）は排気ガス８として排気ラインＬ６から排気される。このように、反応器２においては、酸素としての空気の供給と酸化処理ガスの排出とが連続して行われる。
一方、反応器２で水熱反応処理及び湿式酸化処理された後でＢＯＤが低減された処理液は排液ラインＬ４から下水道７に放流される。
【００１８】
このように、本実施の形態では、病理廃棄物６を亜臨界水条件下での水熱反応により分解処理するので、ＮａＯＨ等の薬品を用いることなくその毒性をなくすことが可能になる。そのため、焼却処理を行う場合のようにダイオキシン除去装置等、ダイオキシンの発生を抑える設備を付加する必要がなくなるため、装置の大型化を防止しつつ病理廃棄物の毒性を抑えることができる。従って、今後、廃棄物の発生源での処理が義務づけられた場合でも、病院内もしくは研究機関内で十分対応することが可能になる。
【００１９】
加えて、本実施の形態では、水熱反応処理と湿式酸化処理とを同一の容器内で行っているので、各処理毎に処理容器を設置する必要がなくなり、装置をさらに小型化できる。
また、本実施の形態では、酸化処理工程において酸素供給と酸化処理ガスの排出とが連続して行われるため、酸化処理に必要な酸素を充填することが可能な大型の容器を用いる必要がなくなり、装置の一層の小型化に寄与することができる。
さらに、本実施の形態では、酸化処理に要する酸素を空気供給により付与しているので、酸素ガスを用いる場合に生じるコスト上昇や、ボンベ交換等の煩雑な作業を回避でき、作業性の向上にも寄与できる。
【００２０】
そして、本実施の形態では、水熱反応で分解処理された処理物を湿式酸化処理しているので、処理液のＢＯＤを低く抑えることができる。従って、本実施の形態では、処理液をそのまま下水道に放流することができるため、産廃処理等、特別な手段を講じる必要がなくなりコスト上昇を防止できる。
【００２１】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００２２】
例えば、上記実施の形態では、亜臨界水条件で水熱反応処理を行う構成としたが、これに限定されるものではなく、亜臨界水条件よりもさらに高温（例えば４００〜５００℃）の超臨界水条件下で水熱反応処理を実施してもよい。
【００２３】
また、湿式酸化処理においては、酸化反応を促進させるために、反応器２内に触媒を充填する構成も好適である。触媒としては、ルテニウムや白金等の貴金属類等を用いることができる。このように、触媒を用いて反応性を高めることで、酸化処理時間を短くすることができ、廃棄作業の効率化に寄与できる。
【図面の簡単な説明】
【００２４】
【図１】本発明の実施の形態を示す図であって、病理廃棄物処理装置の概略的な構成図である。
【符号の説明】
【００２５】
１…病理廃棄物処理装置、  ２…反応器（水熱反応部、酸化処理部）、  ３…空気、  ６…病理廃棄物
【図１】
2005334695.tif 000003